(57)【要約】      （修正有）【課題】セットされた原稿の表裏に依らず、読み取った原稿の画像をページが昇順になるように出力する。【解決手段】複合機５は、積重された複数枚のシート状原稿を一枚ずつ給紙し、給紙した原稿の両面の少なくとも片面を選択的に読み取る両面スキャナー３０と、原稿のＮ枚目の両面を読み取り、両面の中で情報が印刷された印刷面を判定する判定手段と、印刷面は何れか一方の面であると判定した場合、（Ｎ＋１）枚目以降は一方の面を読み取るように設定する設定手段と、Ｎ枚目の画像データ、および（Ｎ＋１）枚目以降を読み取ることで得られる画像データを順次記憶する画像メモリー１４と、記憶した画像データの順序を逆順に並び替える画像データソート部４０と、原稿の非印刷面の側から一枚ずつ給紙される場合、記憶した画像データを逆順に並び替えて印刷するプリンター１６と、を備える。【選択図】図１
2011182362.tif 000002
【特許請求の範囲】
【請求項１】
積重された複数枚のシート状原稿を一枚ずつ給紙し、給紙した前記シート状原稿の両面の少なくとも片面を選択的に読み取る画像読取手段と、
前記シート状原稿のＮ（但し、Ｎは自然数）枚目の両面を前記画像読取手段で読み取り、前記両面の中で情報が印刷された印刷面を判定する判定手段と、
前記判定手段が前記シート状原稿の前記印刷面は何れか一方の面であると判定した場合、前記シート状原稿の（Ｎ＋１）枚目以降は前記一方の面を読み取るように前記画像読取手段を設定する設定手段と、
前記Ｎ枚目の前記印刷面を読み取った画像データ、および前記（Ｎ＋１）枚目以降を前記設定手段の設定に基づいて読み取った画像データを順次記憶する記憶手段と、
前記記憶手段に記憶した前記画像データの順序を逆順に並び替える並び替え手段と、
前記シート状原稿の印刷面の側から一枚ずつ給紙される場合、前記記憶手段に記憶した前記画像データを読み取った順序で出力し、前記シート状原稿の非印刷面の側から一枚ずつ給紙される場合、前記記憶手段に記憶した前記画像データを前記並び替え手段が並び替えた順序で出力する出力手段と、を備えることを特徴とする画像処理装置。
【請求項２】
請求項１に記載の画像処理装置において、
前記判定手段は、前記画像読取手段が前記シート状原稿の一面を読み取った前記画像データにおいて、階調が所定の範囲内である画素数が所定の値を超えた場合、前記一面を前記印刷面と判定することを特徴とする画像処理装置。
【請求項３】
請求項１乃至２のいずれかに記載の画像処理装置において、
前記設定手段は、前記判定手段が前記シート状原稿の前記印刷面は前記両面であると判定した場合、前記シート状原稿の前記（Ｎ＋１）枚目以降は前記両面を読み取るように前記画像読取手段を設定することを特徴とする画像処理装置。
【請求項４】
積重された複数枚のシート状原稿を一枚ずつ給紙し、給紙した前記シート状原稿の両面の少なくとも片面を選択的に読み取る画像読取工程と、
前記シート状原稿のＮ（但し、Ｎは自然数）枚目の両面を前記画像読取工程で読み取り、前記両面の中で情報が印刷された印刷面を判定する判定工程と、
前記判定工程で前記印刷面は前記シート状原稿の何れか一方の面であると判定した場合、前記シート状原稿の（Ｎ＋１）枚目以降は前記一方の面を読み取るように設定する設定工程と、
前記Ｎ枚目の前記印刷面を読み取った画像データ、および前記（Ｎ＋１）枚目以降を前記設定工程での設定に基づいて読み取った画像データを順次記憶する記憶工程と、
前記記憶工程で記憶した前記画像データの順序を逆順に並び替える並び替え工程と、
前記シート状原稿の印刷面の側から一枚ずつ給紙される場合、記憶した前記画像データを読み取った順序で出力し、前記シート状原稿の非印刷面の側から一枚ずつ給紙される場合、記憶した前記画像データを前記並び替え工程で並び替えた順序で出力する出力工程と、を有することを特徴とする画像処理方法。
【発明の詳細な説明】
【技術分野】
【０００１】
本発明は、画像処理装置および画像処理方法に関する。
【背景技術】
【０００２】
従来、画像読取装置として、原稿の両面読取機能と、複数枚の原稿に対する連続読取機能とを備えたものが知られている。このような画像読取装置では、例えば、ＡＤＦ装置（自動原稿給送装置）を備え、ＡＤＦ装置にセットされる複数枚の原稿を連続的に搬送して読み取ることを可能としている。また、下記特許文献１に示すように、表面用と裏面用の２つのイメージセンサーを設け、表面用および裏面用のイメージセンサーによりＡＤＦ装置で搬送される原稿の表面および裏面を略同時に読み取ることを可能としている。そして、画像読取装置で原稿の片面読取りを行う際には、表面用のイメージセンサーを用いて原稿の片面を読み取るようにしている。
【先行技術文献】
【特許文献】
【０００３】
【特許文献１】特開２００５−１９１８８５号公報
【発明の概要】
【発明が解決しようとする課題】
【０００４】
しかしながら、複数のページから成る原稿をＡＤＦ装置にセットする場合、セットする原稿の表裏方向によっては、ページが降順により取られてしまい、画像読取装置が読み取った画像を出力した際に、原稿のページが降順に出力されるという問題があった。本発明は、セットされた原稿の表裏に依らず、読み取った原稿の画像をページが昇順になるように出力することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる画像処理装置は、積重された複数枚のシート状原稿を一枚ずつ給紙し、給紙した前記シート状原稿の両面の少なくとも片面を選択的に読み取る画像読取手段と、前記シート状原稿のＮ（但し、Ｎは自然数）枚目の両面を前記画像読取手段で読み取り、前記両面の中で情報が印刷された印刷面を判定する判定手段と、前記判定手段が前記シート状原稿の前記印刷面は何れか一方の面であると判定した場合、前記シート状原稿の（Ｎ＋１）枚目以降は前記一方の面を読み取るように前記画像読取手段を設定する設定手段と、前記Ｎ枚目の前記印刷面を読み取った画像データ、および前記（Ｎ＋１）枚目以降を前記設定手段の設定に基づいて読み取った画像データを順次記憶する記憶手段と、前記記憶手段に記憶した前記画像データの順序を逆順に並び替える並び替え手段と、前記シート状原稿の印刷面の側から一枚ずつ給紙される場合、前記記憶手段に記憶した前記画像データを読み取った順序で出力し、前記シート状原稿の非印刷面の側から一枚ずつ給紙される場合、前記記憶手段に記憶した前記画像データを前記並び替え手段が並び替えた順序で出力する出力手段と、を備えることを特徴とする。
【０００７】
このような構成によれば、Ｎ枚目の原稿を両面で読み取って印刷面を判定し、印刷面が原稿の何れか片面である場合、（Ｎ＋１）枚目以降の原稿は片側の印刷面を読み取ると共に、読み取った原稿の画像データは記憶手段に記憶する。そして、原稿の印刷面の側から一枚ずつ給紙される場合は、記憶手段に記憶した画像データを読み取った順序で出力し、原稿の非印刷面の側から一枚ずつ給紙される場合は、記憶手段に記憶した画像データを逆順に並べ替えて出力する。従って、原稿が非印刷面の側から一枚ずつ給紙されることで印刷面が逆順に読み取られた場合であっても、読み取られた画像は逆順に並べ替えられるため、原稿の給紙順序に依らず、原稿の画像を正しい順序で出力できる。
【０００８】
［適用例２］
上記適用例にかかる画像処理装置において、前記判定手段は、前記画像読取手段が前記シート状原稿の一面を読み取った前記画像データにおいて、階調が所定の範囲内である画素数が所定の値を超えた場合、前記一面を前記印刷面と判定することが好ましい。
【０００９】
このような構成によれば、シート状原稿の非印刷面に汚れ等が有る場合でも、印刷面か否かを正確に判定できる。
【００１０】
［適用例３］
上記適用例にかかる画像処理装置において、前記設定手段は、前記判定手段が前記シート状原稿の前記印刷面は前記両面であると判定した場合、前記シート状原稿の前記（Ｎ＋１）枚目以降は前記両面を読み取るように前記画像読取手段を設定することが好ましい。
【００１１】
このような構成によれば、シート状原稿のＮ枚目の印刷面が両面である場合、Ｎ枚目以降の原稿を両面で読み取ることができる。
【００１２】
［適用例４］
本適用例にかかる画像処理方法は、積重された複数枚のシート状原稿を一枚ずつ給紙し、給紙した前記シート状原稿の両面の少なくとも片面を選択的に読み取る画像読取工程と、前記シート状原稿のＮ（但し、Ｎは自然数）枚目の両面を前記画像読取工程で読み取り、前記両面の中で情報が印刷された印刷面を判定する判定工程と、前記判定工程で前記印刷面は前記シート状原稿の何れか一方の面であると判定した場合、前記シート状原稿の（Ｎ＋１）枚目以降は前記一方の面を読み取るように設定する設定工程と、前記Ｎ枚目の前記印刷面を読み取った画像データ、および前記（Ｎ＋１）枚目以降を前記設定工程での設定に基づいて読み取った画像データを順次記憶する記憶工程と、前記記憶工程で記憶した前記画像データの順序を逆順に並び替える並び替え工程と、前記シート状原稿の印刷面の側から一枚ずつ給紙される場合、記憶した前記画像データを読み取った順序で出力し、前記シート状原稿の非印刷面の側から一枚ずつ給紙される場合、記憶した前記画像データを前記並び替え工程で並び替えた順序で出力する出力工程と、を有することを特徴とする。
【００１３】
このような方法によれば、Ｎ枚目の原稿を両面で読み取って印刷面を判定し、印刷面が原稿の何れか片面である場合、（Ｎ＋１）枚目以降の原稿は片側の印刷面を読み取ると共に、読み取った原稿の画像データは記憶される。そして、原稿の印刷面の側から一枚ずつ給紙される場合は、記憶工程で記憶した画像データを読み取った順序で出力し、原稿の非印刷面の側から一枚ずつ給紙される場合は、記憶工程で記憶した画像データを逆順に並べ替えて出力する。従って、原稿が非印刷面の側から一枚ずつ給紙されることで印刷面が逆順に読み取られた場合であっても、読み取られた画像は逆順に並べ替えられるため、原稿の給紙順序に依らず、原稿の画像を正しい順序で出力できる。
【図面の簡単な説明】
【００１４】
【図１】本発明の実施形態に係る複合機の制御構成を示す図。
【図２】両面スキャナーの概構成を示す図。
【図３】本発明の実施形態に係る複合機の制御処理の流れを示すフローチャート。
【図４】給紙トレイからの原稿の給紙例を示す図。
【発明を実施するための形態】
【００１５】
以下、画像処理装置について図面を参照して説明する。
【００１６】
（実施形態）
次に、発明を実施するための最良の形態を添付の図面を用いて説明する。
【００１７】
図１は、画像処理装置の１つである複合機５の制御構成の一実施例を示す図である。この複合機５は、ファクシミリ機能とコピー機能とを備える。複合機５は、制御手段であるＣＰＵ（Ｃｅｎｔｒａｌ  Ｐｒｏｃｅｓｓｉｎｇ  Ｕｎｉｔ）１１、ＲＯＭ（Ｒｅａｄ  Ｏｎｌｙ  Ｍｅｍｏｒｙ）１２、ＲＡＭ（Ｒａｎｄａｍ  Ａｃｃｅｓｓ  Ｍｅｍｏｒｙ）１３、画像メモリー１４、プリンター制御部１５、液晶ドライバー１７、コーデック（符号化・復号化器）１９、モデム２０、ＮＣＵ（Ｎｅｔｗｏｒｋ  Ｃｏｎｔｒｏｌ  Ｕｎｉｔ：ネットワーク制御部）２１、キー操作部２３、ＬＡＮ（Ｌｏｃａｌ  Ａｒｅａ  Ｎｅｔｗｏｒｋ）インターフェイス２５、両面スキャナー３０、白紙検出部３４および画像データソート部４０を備える。前記の各部は、バス１０を介して、通信可能に接続されている。
【００１８】
ＣＰＵ１１は、キー操作部２３への入力操作等に基づいて、複合機５の各部を制御する制御手段である。ＲＯＭ１２には、複合機５を制御する制御プログラム等が記憶されている。ＲＡＭ１３には、複合機５の制御状態等の各種情報が一時的に記憶される。画像メモリー１４は、記憶手段として機能し、両面スキャナー３０で読み取られた原稿画像や、モデム２０を介して受信した受信画像等のイメージデータが一時的に記憶される。
【００１９】
プリンター制御部１５には画像記録部であるプリンター１６が接続される。プリンター制御部１５は、ＣＰＵ１１の指令を受けてプリンター１６を制御する。出力手段の１つであるプリンター１６は、例えば、電子写真方式で構成され、両面スキャナー３０で出力された原稿画像や、モデム２０を介して受信した受信画像を、記録紙上に記録（印刷）する。
液晶ドライバー１７には表示部である液晶表示装置１８が接続される。液晶ドライバー１７は、ＣＰＵ１１の指令を受けて液晶表示装置１８に、複合機５の動作状態等の各種情報（文字メッセージ）を表示したり、コピー機能またはファクシミリ機能を利用する際の操作手順を表示したりする。
【００２０】
コーデック１９やＬＡＮインターフェイス２５は出力手段の１つである。コーデック１９は、一方では符号化器として機能し、両面スキャナー３０で読み取られた原稿画像を、バス１０を介して送信するために、例えば、ＭＨ、ＭＲ、ＭＭＲ方式により符号化（エンコード）する。また、他方では復号化器として機能し、符号化されているイメージデータを、復号化（デコード）する。モデム２０は、ＩＴＵ（国際電気通信連合）勧告に従ったファクシミリ伝送制御手順に基づいて、送受信データの変調および受信データの復調を行う。ＮＣＵ２１は、通信回線（電話回線）との接続制御を行い、また、相手先の電話番号（ファクシミリ番号を含む）に対応したダイアル信号の送出および着信を検出する。さらに、複合機５は、ＬＡＮインターフェイス２５によりＬＡＮ（Ｌｏｃａｌ  Ａｒｅａ  Ｎｅｔｗｏｒｋ）２６を通じて、外部のパーソナルコンピューター（ＰＣ）２７やサーバー２８等と接続可能となっている。
【００２１】
キー操作部２３には、複合機５を操作するための入力手段として、コピー枚数や送信先電話番号を入力するためのテンキーや、ファクシミリ送信先電話番号が登録されるワンタッチキー、コピーまたはファクシミリ送信などを開始させるスタートキー等、各種操作キーが設けられている。これらの操作キーの入力操作はＣＰＵ１１に伝えられ、この入力操作に基づいて複合機５の制御が行われる。また、キー操作部２３には、両面スキャナー３０の読取モードを切り替える読取モード切替キー２４が配置されている。
【００２２】
画像読取手段である両面スキャナー３０は、例えば、文書、図面等のシート状原稿（以下、単に「原稿」と言う）を光学的に走査（スキャン）して、その反射光の強度を計測し、これをＡＤ変換（アナログ−デジタル変換）して、イメージデータである画像情報を出力する。尚、本実施形態では、原稿は複数の枚数（ページ）で構成され、それぞれの原稿の印刷面は同一である。従って、一枚目の原稿が両面印刷されている場合は、他の原稿も両面印刷されている。また、一枚目の原稿が片面のみに印刷されている場合は、他の原稿も同じ片面のみに印刷されている。
【００２３】
本実施例では、両面スキャナー３０は、原稿の両面読取機能と、複数枚の原稿の連続読取機能とを備えている。両面スキャナー３０には、ＡＤＦ装置３１が備えられており、このＡＤＦ装置３１によって、両面スキャナー３０は、ＡＤＦ装置３１にセットされる複数枚の原稿を連続的に読み取ることを可能としている。
両面スキャナー３０には、図２に示すように、イメージセンサー（例えば、ＣＣＤや密着イメージセンサー）である表面読取センサー３２および裏面読取センサー３３が備えられている。表面読取センサー３２および裏面読取センサー３３は、ＡＤＦ装置３１の供給トレイ３５から排出トレイ３６に至る原稿搬送路３７を挟んだ両側の所定位置に固定されて設けられている。これらの表面読取センサー３２および裏面読取センサー３３によってＡＤＦ装置３１により原稿搬送路３７を一定方向に搬送される原稿の表面および裏面を略同時に読み取ることを可能としている。
【００２４】
このように両面スキャナー３０は、原稿搬送路３７で１度の原稿搬送しか行わないで、いわゆる１パスで両面読取りを行うような構成となっている。つまり、原稿をスイッチバックして片面ずつ読み取るような構成とはなっていない。また、連続読取時には、原稿は供給トレイ３５に積重されてセットされる。セットされた原稿は、供給トレイ３５のトレイ面に接する原稿から順次搬送される場合と、供給トレイ３５のトレイ面から最も離れた原稿、即ち、積み上げられた原稿の最上段から順次搬送される場合の２通りが想定でき、ユーザーにより選択できるように構成されている。また、両面スキャナー３０で読み取られた原稿の表面および裏面の画像情報は画像メモリー１４に記憶される。なお、モノクロ読取機能を備えたモノクロスキャナーを使用することもでき、モノクロ読取機能およびカラー読取機能を備えたカラースキャナーを使用することもできる。
【００２５】
そして、本実施例では、両面スキャナー３０には、３種類の読取モードが設けられている。原稿の表面を読取面として片面読取りを実行する「片面読取モード」と、原稿の両面読取りを実行する「両面読取モード」と、後述する「両面読取り／片面読取り自動判別モード（以下、単に「自動判別モード」と言う）」との３種類である。この３種類の読取モードは、キー操作部２３に設けられる読取モード切替キー２４を操作することにより選択的に切替可能となっている。これにより、ユーザーは、両面スキャナー３０の読取モードを、両面読取モード、片面読取モード、自動判別モードのうちから任意に選択することができる。なお、本実施形態では、自動判別モードが設定された場合を想定する。従って、供給トレイ３５にセットした最初のページは両面を読み取り、印刷面の有無を判定して、以降のページのモードを設定する設定手段として機能する。
【００２６】
両面スキャナー３０には白紙検出部３４が接続される。この白紙検出部３４は、両面スキャナー３０が読み取った原稿の表面・裏面それぞれについて白紙ページの存在を検出するために設けられており、原稿の少なくとも片面に、非印刷面である白紙ページが存在するか否かを判断する判定手段として機能している。なお、原稿の表面・裏面とは、原稿を両面スキャナー３０にセットする際の原稿の向き（例えば、図２ではセット原稿の下面が表面となる）によって決定されるものとする。
【００２７】
白紙検出部３４では、両面スキャナー３０に読み取られた原稿の画像情報の１ページ内の有効画素数（モノクロ読取りの場合には黒画素数、カラー読取りの場合には有色画素数）を演算し、この演算された有効画素数と予め設定されている閾値とを比較する。比較の結果、有効画素数が閾値以下の場合には、このとき読み取られた原稿は白紙ページであると判定し、逆に、有効画素数が閾値を超えている場合には、このとき読み取られた原稿は白紙ページではないと判定する。このように、白紙検出部３４では、両面スキャナー３０が読み取った原稿の画像情報の１ページ内の有効画素数に基づいて、その原稿の表面・裏面それぞれについて白紙ページが存在するか否かを検出している。
【００２８】
ここで、有効画素数とは、画像情報を構成する画素のうち、各色（ＲＧＢやモノクロ等）の階調（２５６階調等）がそれぞれ所定の範囲（２５６階調を一番暗い階調としたときに１０階調以上等）の画素の数とする。
例えば、ＲＧＢの各色について２５６階調のカラー画像であれば、Ｒ色（レッド）が１０階調以上、または、Ｇ色（グリーン）が１０階調以上、または、Ｂ色（ブルー）が１０階調以上、となる画素を有効画素とする。言い換えれば、Ｒ色が９階調以下かつＧ色が９階調以下かつＢ色が９階調以下、となる画素を無効画素とする。また、白黒（モノクロ）２階調のモノクロ画像であれば、第１階調の白画素は無効画素、第２階調の黒画素は有効画素とする。
なお、読取画像の全画素数は原稿のサイズにより変化し、例えば、Ａ４の読取画像の全画素数は、Ｂ５の読取画像の全画素数よりも大きいが、この全画素数毎に異なる閾値が設定されている。
【００２９】
以上において、白紙ページとは、読み取るべき原稿画像のない原稿面のことを意味している。例えば、原稿の一面に、少しだけの書込み、または、模様等がある場合に、そのような面の原稿画像を無視して、白紙ページとして処理したい場合がある。本実施例の白紙検出部３４によれば、閾値の設定次第で、完全な白紙だけでなく、少しだけの書込み、または模様等がある場合にも、白紙ページとして判断させることができる。
なお、以上のような白紙検出処理を、ＲＯＭ１２に記憶する白紙検出用プログラムに従って実行するようにしてもよい。また、画像メモリー１４に記憶された原稿の画像情報に対して白紙検出処理を行うようにしてもよい。また、両面スキャナー３０が読み取った原稿の画像情報を、圧縮した後の符号化量（符号化されたデータのデータ量）の演算により白紙検出を行うようにしてもよい。この場合には、原稿の画像情報の符号化量が閾値以下である場合には白紙であると判定され、逆に、閾値を超えている場合には白紙ではないと判定される。この場合も、原稿のサイズ毎に符号化量判定用の閾値が設定されている。
【００３０】
画像データソート部４０は、画像メモリー１４に記憶された画像情報の順序を逆順にソートする並び替え手段である。例えば、画像メモリー１４に記憶された画像情報の順序が、１ページ、２ページ・・・Ｍページであった場合、画像データソート部４０が逆順に並び替えることで、画像メモリー１４から読み出される順序は、Ｍページ・・・２ページ、１ページとなる。本実施形態では、積重された原稿の非印刷面の側を先頭にして順次給紙される場合、ＣＰＵ１１が指示して逆順のソートを行うフラグを立て、画像メモリー１４の画像情報が読み出される際に、フラグの有無に応じて逆順に読み出されるように処理される。
【００３１】
次に、複合機５の両面スキャナー３０の読取制御について、図３のフローチャートを参照しながら説明する。図３には、複合機５で原稿を読み取る場合の両面スキャナー３０の読取制御について示しており、具体的には、ＡＤＦ装置３１にセットされた複数枚の原稿を両面スキャナー３０が読み取って、記録紙にコピーする場合の両面スキャナー３０の読取制御について示している。尚、本実施形態では、複数枚の原稿は、同一の書式であるとする。即ち、１枚目が両面印刷されている場合、２枚目以降も両面印刷されている。また、１枚目が表面および裏面の何れかである場合、２枚目以降も１枚目と同じ側に印刷されている。
【００３２】
まず、複数枚の原稿が両面スキャナー３０のＡＤＦ装置３１にセットされ、キー操作部２３でコピー枚数や両面スキャナー３０の読取モード等のコピー条件の条件が設定される（ステップＳ１００）。次に、ＣＰＵ１１は、スタートキーが操作されたか否かが判定される（ステップＳ１０２）。ここでスタートキーが操作された場合（ステップＳ１０２でＹｅｓ）には、ＣＰＵ１１は、両面スキャナー３０の読取制御を開始し、１枚目の原稿に対して両面読取を行う（ステップＳ１０４）＜画像読取工程＞。ＣＰＵ１１は、読み取った画像情報に対して白紙検出等の画像処理を行う（ステップＳ１０６）。続いて、ＣＰＵ１１は、読み取った原稿画像を画像メモリーに記憶する（ステップＳ１０７）。
次に、ＣＰＵ１１は、画像処理の結果から、原稿が両面印刷されているか、否かを判定する（ステップＳ１０８）＜判定工程＞。
ここで、原稿が両面印刷されていると判定された場合（ステップＳ１０８でＹｅｓ）、ＣＰＵ１１は、ＡＤＦ装置３１にセットされた次の原稿を給紙する（ステップＳ１１０）。続いて、ＣＰＵ１１は、給紙した原稿の有無から、ＡＤＦ装置３１にセットされた原稿の読取が全て終了したか、否かを判定する（ステップＳ１１２）。
【００３３】
ここで、ＡＤＦ装置３１にセットされた原稿の読取が全て終了していないと判定された場合（ステップＳ１１２でＮｏ）、ＣＰＵ１１は、給紙した原稿に対して両面読取を行い（ステップＳ１１４）、読み取った画像情報を画像メモリー１４に記憶し（ステップＳ１１６）、ＡＤＦ装置３１にセットされた次の原稿を給紙する工程（ステップＳ１１０）に戻る。
他方で、ＡＤＦ装置３１にセットされた原稿の読取が全て終了したと判定された場合（ステップＳ１１２でＹｅｓ）、ステップＳ１６０に進み、画像メモリー１４に記憶された画像情報をプリンター１６や、電話回線または通信回線経由で送信相手先に出力し（ステップＳ１６０）、一連の処理を終了する。
また、原稿が両面印刷されていないと判定された場合（ステップＳ１０８でＮｏ）、ＣＰＵ１１は、印刷面が表面であるか、否かを判定する（ステップＳ１２０）。尚、本実施形態では、図４に示すように、供給トレイ３５のトレイ面と背向する面に印刷面がセットされた場合、印刷面は表面であるとし、供給トレイ３５のトレイ面と対向する面に印刷面がセットされた場合、印刷面は裏面であるとする。そして、ＣＰＵ１１は、２枚目以降の原稿を印刷面のみ読み取るように設定する＜設定工程＞。
【００３４】
ここで、印刷面が表面であると判定された場合（ステップＳ１２０でＹｅｓ）、ＣＰＵ１１は、ＡＤＦ装置３１にセットされた次の原稿を給紙する（ステップＳ１２２）。続いて、ＣＰＵ１１は、給紙した原稿の有無から、ＡＤＦ装置３１にセットされた原稿の読取が全て終了したか、否かを判定する（ステップＳ１２４）。
ここで、ＡＤＦ装置３１にセットされた原稿の読取が全て終了していないと判定された場合（ステップＳ１２４でＮｏ）、ＣＰＵ１１は、設定に基づいて、給紙した原稿に対して表面の読取を行い（ステップＳ１２６）、読み取った画像情報を画像メモリー１４に記憶し（ステップＳ１２８）＜記憶工程＞、ＡＤＦ装置３１にセットされた次の原稿を給紙する工程（ステップＳ１２２）に戻る。
【００３５】
他方で、ＡＤＦ装置３１にセットされた原稿の読取が全て終了したと判定された場合（ステップＳ１２４でＹｅｓ）、ＣＰＵ１１は、供給トレイ３５の原稿の給紙順序を調べ、供給トレイ３５に段積みされた下側、即ち、供給トレイ３５側から順に給紙されるか、否かを判定する（ステップＳ１３０）。
ここで、図４の示すように、印刷面が表面であって、下側から順に給紙される場合（ステップＳ１３０でＹｅｓ）、ＣＰＵ１１は、画像データソート部４０のフラグを立てて、逆順のソートを指示し（ステップＳ１３５）、ステップＳ１６０に進む。
【００３６】
他方で、印刷面が表面であって、上側から順に給紙される場合（ステップＳ１３０でＮｏ）、原稿のページ順に読み取られるため、逆順のソートは指示されず、ステップＳ１６０に進む。
ステップＳ１６０では、フラグが立っている場合には、画像メモリー１４に記憶された画像情報が逆順に読み出され、また、フラグが立っていない場合には、画像メモリー１４に記憶された画像情報が記憶された順序で読み出され、プリンター１６や、電話回線または通信回線経由で送信相手先に出力され（ステップＳ１６０）＜出力工程＞、一連の処理を終了する。
【００３７】
また、印刷面が裏面であると判定された場合（ステップＳ１２０でＮｏ）、ＣＰＵ１１は、ＡＤＦ装置３１にセットされた次の原稿を給紙する（ステップＳ１４０）。続いて、ＣＰＵ１１は、給紙した原稿の有無から、ＡＤＦ装置３１にセットされた原稿の読取が全て終了したか、否かを判定する（ステップＳ１４２）。
ここで、ＡＤＦ装置３１にセットされた原稿の読取が全て終了していないと判定された場合（ステップＳ１４２でＮｏ）、ＣＰＵ１１は、設定に基づいて、給紙した原稿に対して裏面の読取を行い（ステップＳ１４４）、読み取った画像情報を画像メモリー１４に記憶し（ステップＳ１４６）、ＡＤＦ装置３１にセットされた次の原稿を給紙する工程（ステップＳ１４０）に戻る。
他方で、ＡＤＦ装置３１にセットされた原稿の読取が全て終了したと判定された場合（ステップＳ１４２でＹｅｓ）、ＣＰＵ１１は、供給トレイ３５の原稿の給紙順序を調べ、供給トレイ３５に段積みされた上側、即ち、供給トレイ３５に遠い側から順に給紙されるか、否かを判定する（ステップＳ１４８）。
【００３８】
ここで、図４の示すように、印刷面が裏面であって、上側から順に給紙される場合（ステップＳ１４８でＹｅｓ）、ＣＰＵ１１は、画像データソート部４０のフラグを立てて、逆順のソートを指示し（ステップＳ１５０）、ステップＳ１６０に進む。
他方で、印刷面が裏面であって、下側から順に給紙される場合（ステップＳ１４８でＮｏ）、原稿のページ順に読み取られるため、逆順のソートは指示されず、ステップＳ１６０に進む。
ステップＳ１６０では、フラグが立っている場合には、画像メモリー１４に記憶された画像情報が逆順に読み出され、また、フラグが立っていない場合には、画像メモリー１４に記憶された画像情報が記憶された順序で読み出され、プリンター１６や、電話回線または通信回線経由で送信相手先に出力され（ステップＳ１６０）、一連の処理を終了する。
【００３９】
以上のように、用紙の何れか一方の面にのみ印刷された複数の原稿が供給トレイ３５にセットされて、連続して読み取られる場合、供給トレイ３５にセットされた原稿の表裏と、給紙される順序に応じて、両面スキャナー３０に読み取られた画像情報は、逆順にソートされて出力されるため、出力されるページ順序は、１ページから昇順に出力される。
【００４０】
以上、本発明を図示した実施形態に基づいて説明したが、本発明は、本実施形態に限定されるものではなく、以下に述べるような変形例も想定できる。
（１）予めＣＰＵ１１に降順の出力を指示することで、原稿のセット方向や給紙される順序に依らず、常に降順に出力しても良い。
（２）本実施形態では、複合機５の様態を採用したが、これに限定されず、スキャナー装置単体であっても良い。
【符号の説明】
【００４１】
５…複合機、１０…バス、１１…ＣＰＵ、１２…ＲＯＭ、１３…ＲＡＭ、１４…画像メモリー、１５…プリンター制御部、１６…プリンター、１７…液晶ドライバー、１８…液晶表示装置、１９…コーデック、２０…モデム、２１…ＮＣＵ、２３…キー操作部、２４…読取モード切替キー、２５…ＬＡＮインターフェイス、２７…ＰＣ、２８…サーバー、３０…両面スキャナー、３１…ＡＤＦ装置、３２…表面読取センサー、３３…裏面読取センサー、３４…白紙検出部、３５…供給トレイ、３６…排出トレイ、３７…原稿搬送路、４０…画像データソート部。
【図１】
2011182362.tif 000003
【図２】
2011182362.tif 000004
【図３】
2011182362.tif 000005
【図４】
2011182362.tif 000006